(57)【特許請求の範囲】
【請求項１】
ヘッドレスト形状の発泡成形体と、同発泡成形体の外周を被覆する袋状の表皮と、前記発泡成形体内から前記表皮を通して下方へ突出するステーを備え、前記発泡成形体、前記表皮および前記ステーを前記発泡成形体の発泡成形時に一体化してなる表皮一体発泡型ヘッドレストであり、前記表皮の開口部を形成する互いに対向する一方の端末が前記発泡成形体内に埋没され、かつ他方の端末に固定したアンカープレートが前記発泡成形体に設けた挿入孔に挿入されて固定されていることを特徴とする表皮一体発泡型ヘッドレスト。
【請求項２】
請求項１に記載の表皮一体発泡型ヘッドレストの製造方法であり、前記表皮として互いに対向する一対の端末にて形成された開口部を有するとともにこれら端末の他方にアンカープレートを固定された袋状の表皮を採用して、同表皮および同表皮内に配置したステーを発泡成形用成形型の一対の型内にセットするとともに、発泡原液の注入孔を有するプレート状の治具を前記成形型の両型間に挟持して前記表皮の開口部に臨ませ、前記表皮の一方の端末を前記治具のプレート部の側面に沿せた状態で前記治具の注入孔を通して前記表皮内に前記原液を注入して前記発泡成形体を発泡成形することを特徴とする表皮一体発泡型ヘッドレストの製造方法。
【発明の詳細な説明】
【０００１】
【産業上の利用分野】
本発明は表皮一体発泡型ヘッドレスト、およびその製造方法に関する。
【０００２】
【従来の技術】
車両用シート等に採用されるヘッドレストの一形式として、刊行物「自動車工学便覧第６編、第１−２５頁（昭和５８年９月３０日自動車技術会発行）」に示されているように、ヘッドレスト形状の発泡成形体と、同発泡成形体の外周を被覆する袋状の表皮と、前記発泡成形体内から前記表皮を通して下方へ突出する左右一対のステーを備えた形式のものがある。
【０００３】
当該形式のヘッドレストにおいては図４および図５に示すように、表皮として下端部に開口部を有する袋状の表皮１が採用されて、同表皮１にてヘッドレスト形状に成形された発泡成形体２を被覆して、発泡成形体２内に埋設されたステー３の一対の脚部３ａ，３ｂを下方へ突出させる構成となっている。また、表皮１の開口部には互いに対向する一対の端末１ａ，１ｂが設けられていて、各末端１ａ，１ｂには樹脂製のホグレスフック４ａとホグレスプレート４ｂが縫合されており、ホグレスプレート４ｂをホグレスフック４ａに差し込んで、発泡成形体２に被覆された表皮１の開口部を閉じる構成となっている。
【０００４】
【発明が解決しようとする課題】
ところで、当該ヘッドレストにおいては、表皮１の開口部を閉じるためにホグレスプレート４ｂをホグレスフック４ａに差し込むという細かい作業が必要であり、また一旦ホグレスフック４ａに差し込まれたホグレスプレート４ｂが発泡成形体２を被覆している表皮１の張力等で抜け出て、表皮１の開口部が開放されるおそれがあり、開口部が開放された場合にはヘッドレストの見栄えが損なわれることになる。従って、本発明はの目的は、表皮一体発泡型ヘッドレストに着目してこれらの問題を解決することにある。
【０００５】
【課題を解決するための手段】
本発明の第１の発明は、ヘッドレスト形状の発泡成形体と、同発泡成形体の外周を被覆する袋状の表皮と、前記発泡成形体内から前記表皮を通して下方へ突出するステーを備え、前記発泡成形体、前記表皮および前記ステーを前記発泡成形体の発泡成形時に一体化してなる表皮一体発泡型ヘッドレストに関するもので、前記表皮の開口部を形成する互いに対向する一方の端末が前記発泡成形体内に埋没され、かつ他方の端末に固定したアンカープレートが前記発泡成形体に設けた挿入孔に挿入されて固定されていることを特徴とするものである。
【０００６】
また、本発明の第２の発明は、当該表皮一体発泡型ヘッドレストの製造方法であって、前記表皮として、互いに対向する一対の端末にて形成された開口部を有するとともにこれら端末の他方にアンカープレートを固定された袋状の表皮を採用して、同表皮および同表皮内に配置したステーを発泡成形用成形型の一対の型内にセットするとともに、発泡原液の注入孔を有するプレート状の治具を前記成形型の両型間に挟持して前記表皮の開口部に臨ませ、前記表皮の一方の端末を前記治具のプレート部の側部に沿せた状態で前記治具の注入孔を通して前記表皮内に前記原液を注入して前記発泡成形体を発泡成形することを特徴とするものである。
【０００７】
【発明の作用・効果】
かかる構成のヘッドレストにおいては、表皮の開口部を形成する一方の端末は発泡成形体内に埋没され、かつ他方の端末に設けたアンカープレートが発泡成形体に設けた挿入孔に挿入されて固定される構成となっているため、表皮の開口部を閉鎖する作業がアンカープレートを発泡成形体の挿入孔に挿入するという極めて簡単な作業でよくて作業が容易となる。また、表皮の他方の端末に設けたアンカープレートは発泡成形体の挿入孔内で発泡成形体に弾撥的に挟持されるため、表皮の張力等によっても挿入孔から抜き出ることがなくて表皮の開口部が開放されることがない。さらにまた、発泡成形体の挿入孔はアンカープレートの挿入後には自らの弾力により閉鎖されるため、開口部の見栄えが損なわれるようなことはない。
【０００８】
【実施例】
以下本発明の実施例を図面に基づいて説明するに、図１には本発明の一実施例に係るヘッドレストが示されており、また図２には本発明の一実施例に係るヘッドレストの製造方法が示されている。当該ヘッドレスト１０は発泡成形体１１と、表皮１２と、ステー１３とからなり、発泡成形体１１はヘッドレストの形状を呈するとともに、表皮１２はヘッドレストの形状を呈する袋状のものであり、またステー１３は門形形状を呈するものである。発泡成形体１１、表皮１２およびステー１３は発泡成形体１１の発泡成形時に一体化されているもので、ステー１３の左右一対の脚部１３ａ，１３ｂが発泡成形体１１および表皮１２を通して下方へ突出している。
【０００９】
当該ヘッドレスト１０において、表皮１２は下側部に開口部を有するとともに、開口部には互いに対向する端末１２ａ，１２ｂを有するもので、一方の端末１２ａは折曲げられて発泡成形体１１の下側にて埋没している。また、他方の端末１２ｂには端末１２ｂの幅全長にわたる長さのアンカープレート１２ｃが縫合されていて、アンカープレート１２ｃは埋没している一方の端末１２ａに沿って発泡形成体１１の下側に設けられている挿入孔１１ａ内に挿入されている。これにより、他方の端末１２ｂは発泡成形体１１内に固定され、表皮１２の開口部が閉鎖されている。
【００１０】
このように、当該ヘッドレスト１０においては、表皮１２の開口部を形成する一方の端末１２ａは発泡成形体１１内に埋没され、かつ他方の端末１２ｂに設けたアンカープレート１２ｃが発泡成形体１１に設けた挿入孔１１ａに挿入されて固定されているため、表皮１２の開口部を閉鎖する作業としてはアンカープレート１２ｃを発泡成形体１１の挿入孔１１ａに挿入するとい極めて簡単な作業でよくて作業が容易となる。また、表皮１２の他方の端末１２ｂに設けたアンカープレート１２ｃは発泡成形体１１の挿入孔１１ａ内で発泡成形体１１に弾撥的に挟持されるため、表皮１２の張力等によっても挿入孔１１ａから抜き出ることがなくて、表皮１２の開口部が容易に開放されることがない。さらにまた、発泡成形体１１の挿入孔１１ａはアンカープレート１２ｃの挿入後には自らの弾力により閉鎖されるため、開口部の見栄えが損なわれるようなことはない。
【００１１】
図２には当該ヘッドレスト１０の製造方法が示されている。当該製造方法においては、図２および図３に示す発泡成形型である一対の型２１，２２と治具２３が使用される。両型２１，２２は内部にヘッドレストの半分側の形状を有する成形型空間部２１ａ，２２ａを有し、一方の接合端面にはステー１３の各脚部１３ａ，１３ｂが挿通する半円筒状の一対の溝部２１ｂ，２１ｃ，２２ｂ，２２ｃが形成されているとともに、両溝部２１ｂ，２１ｃ間、および２２ｂ，２２ｃ間に治具２３が挿通する挿通溝２１ｄ，２２ｄが形成されている。
【００１２】
治具２３は横長のプレート状本体２３ａの中央部に筒状の注入孔２３ｂを有するもので、プレート状本体２３ａの上端部には一対の掛止部２３ｃ，２３ｄが形成されているとともに、その下端部には円柱部２３ｅが形成されている。一方、表皮１２はヘッドレストの形状を呈する袋状で下側に開口部と、開口部にて互いに対向する一対の端末１２ａ，１２ｂを有するものであり、他方の端末１２ｂにはアンカープレート１２ｃが縫合されている。
【００１３】
表皮１２はステー１３を収容して両脚部１３ａ，１３ｂを外側へ突出させた状態で各型２１，２２の成形型空間部２１ａ，２２ａ内に収容され、両型２１，２２を接合して閉鎖するに際しては、接合端面の各挿通溝２１ｄ，２２ｄに治具２３を配置するとともに、ステー１３の各脚部１３ａ，１３ｂを溝部２１ｂ，２１ｃ間、および２２ｂ，２２ｃに配置し、かつ表皮１２の一方の端末１２ａを治具２３のプレート状本体２３ａの側面に沿って内側へ折曲げ、この状態で両型２１，２２を互いに接合して閉鎖する。このように両型２１，２２内にセットされた表皮１２内には、発泡成形体１１の原液が治具２３の注入孔２３ｂを通して注入されて発泡成形され、表皮１２内にて同表皮１２およびステー１３と一体の発泡成形体１１が形成される。表皮１２と一体の発泡成形体１１は発泡成形後に両型２１，２２を開放して取出されるとともに、治具２３が発泡成形体１１から抜き出される。
【００１４】
発泡成形体１１の治具２３が抜出された跡はアンカープレート１２ｃの挿入孔１１ａとなって残り、表皮１２の端末１２ｂに縫合したアンカープレート１２ｃを挿入孔１１ａに挿入することにより同端末１２ｂが発泡成形体１１内に固定され、これにより図１に示すヘッドレスト１０が形成される。当該製造方法によれば、表皮１２における開口部の閉鎖作業時の端末の処理が極めて容易であり、表皮１２の開口部が容易に開放されずかつ見栄えの優れた当該ヘッドレスト１０を容易にの製造することができる。
【図面の簡単な説明】
【図１】本発明の一実施例に係るヘッドレストの縦断側面図である。
【図２】同ヘッドレストの製造方法を示す表皮をセットした状態の成形型の縦断側面図である。
【図３】同ヘッドレストを製造するための成形型の斜視図（ａ）、ステーを内部に配置した表皮の斜視図（ｂ）、および治具の拡大斜視図（ｃ）である。
【図４】従来のヘッドレストの縦断側面図（ａ）、および同ヘッドレストの矢印ｂ部分の拡大図（ｂ）である。
【図５】同ヘッドレストを構成する発泡成形体の斜視図（ａ）、および表皮の斜視図（ｂ）である。
【符号の説明】
１０…ヘッドレスト、１１…発泡成形体、１１ａ…挿入孔、１２…表皮、１２ａ，１２ｂ…端末、１２ｃ…アンカープレート、１３…ステー、２１，２２…型、２３…治具、２３ｂ…注入孔。
【図１】
0003541428.tif 000002
【図２】
0003541428.tif 000003
【図３】
0003541428.tif 000004
【図４】
0003541428.tif 000005
【図５】
0003541428.tif 000006